(57)【要約】      （修正有）【課題】防水コネクタの作業工数削減と、それによる生産性の改善とコスト低減を図ることができるコネクタを製造する方法を提供する。【解決手段】コネクタが、コネクタハウジング１と、コネクタハウジング１に挿入されて固定されるケーブルアセンブリとを含んでいる。ケーブルアセンブリは、ケーブル５と、ケーブル５を外部端子に電気的に接続するように構成された端子部分９と、ケーブル５の外側シースに圧入されて水密封止され、コネクタハウジング１の第１の締結部分１７に弾性的に連結されてロックされるように構成された封止アセンブリとを含んでおり、封止アセンブリは端子部分９とは別個に配置されている。【選択図】図２
2020057603.tif 000002
【特許請求の範囲】
【請求項１】
コネクタハウジングと、
前記コネクタハウジングに挿入されて固定されるように構成されたケーブルアセンブリとを備え、
前記ケーブルアセンブリは、
ケーブルと、
前記ケーブルを外部端子に電気的に接続するように構成された端子部分と、
前記ケーブルの外側シースに圧入されて水密封止され、前記コネクタハウジングの第１の締結部分に弾性的に連結されてロックされるように構成された封止アセンブリとを備え、
前記封止アセンブリは、前記端子部分とは別個に配置されている、
コネクタ。
【請求項２】
前記封止アセンブリは、
主孔を備えた主体部であって、前記ケーブルが前記主体部の中心部分で前記主孔を通過し、前記第１の締結部分に弾性的に連結される第１の締結具が、前記主孔に対して前記第１の締結部分に面するように一体形成されている主体部と、
副孔を備えた副体部であって、前記ケーブルが前記副体部の中心部分で前記副孔を通過する、前記主体部に連結されるように構成された副体部と、
前記主体部と前記副体部との間に介在し、前記ケーブルの前記外側シースに圧入されて水密封止されるように構成されたシールと、
複数の連結棒であって、前記シールを通過して各前記連結棒の両端が前記主体部および前記副体部に固定され、前記主体部、前記シール、および前記副体部が一体形成されることを可能にするように構成された複数の連結棒とを備えている、請求項１に記載のコネクタ。
【請求項３】
前記連結棒は、前記主体部と一体形成され、前記主孔の周りの領域から前記副体部の前記副孔の周りの領域に向かって互いに平行に突出しており、
前記副体部を通過する各前記連結棒の端部分は、熱かしめによって前記副体部に固定されるように構成されている、請求項２に記載のコネクタ。
【請求項４】
前記端子部分は、
前記ケーブルの内側導体に接続するように構成された中心コンタクトと、
前記ケーブルの外側導体に接続するように構成された遮蔽コンタクトと、
前記ケーブルの端部分に設けられ、前記中心コンタクトおよび前記遮蔽コンタクトを分離して前記中心コンタクトと前記遮蔽コンタクトとの間の絶縁を維持するように構成された遮蔽ハウジングとを備え、前記遮蔽ハウジングは第２の締結具と一体形成され、前記第２の締結具は、前記ケーブルの前記外側シースに圧入されてロックされつつ、前記コネクタハウジングの第２の締結部分に弾性的に連結されるように構成されている、請求項２に記載のコネクタ。
【請求項５】
前記遮蔽ハウジングの前記第２の締結具が前記第２の締結部分に連結され、前記封止アセンブリの前記第１の締結具が前記第１の締結部分に連結されているとき、前記遮蔽ハウジングの後端部分は、基準距離以下で前記副体部の前端部分に隣接して配置されている、請求項４に記載のコネクタ。
【請求項６】
前記端子部分は、
前記ケーブルの内側導体に接続するように構成された中心コンタクトと、
前記ケーブルの外側導体に接続するように構成された遮蔽コンタクトと、
前記中心コンタクトおよび前記遮蔽コンタクトを分離して前記中心コンタクトと前記遮蔽コンタクトとの間の絶縁を維持するように構成された遮蔽ハウジングとを備えている、請求項１に記載のコネクタ。
【請求項７】
前記封止アセンブリは、前記コネクタハウジング内に形成された前記第１の締結部分に連結されるように構成された第１の締結具を備え、
前記遮蔽ハウジングは、前記コネクタハウジング内に形成された第２の締結部分に連結されるように構成された第２の締結具を備えている、請求項６に記載のコネクタ。
【請求項８】
前記封止アセンブリの端部分は、前記遮蔽ハウジングを支持するように構成されている、請求項７に記載のコネクタ。
【請求項９】
前記封止アセンブリは、
前記ケーブルが通過する主孔および前記ケーブルの長手方向に沿って延びている連結棒を備えた主体部と、
前記ケーブルが通過するケーブル孔および前記連結棒が通過する本体孔を備えたシールと、
前記ケーブルが通過する副孔および前記連結棒の端部分が挿入される先端孔を備えた副体部とを備えている、請求項１に記載のコネクタ。
【請求項１０】
前記連結棒は、
前記主体部から延びて前記本体孔に挿入される棒本体と、
前記棒本体から延びて前記先端孔に挿入される棒先端とを備えている、請求項９に記載のコネクタ。
【請求項１１】
前記棒本体の直径が、前記先端孔の直径より大きい、請求項１０に記載のコネクタ。
【請求項１２】
封止アセンブリを組み立てることと、
前記封止アセンブリを組み立てた後、前記組み立てられた封止アセンブリをケーブルに挿入することと、
前記ケーブル内に端子部分を提供して前記ケーブルを外部端子に電気的に接続することと、
前記封止アセンブリおよび前記端子部分を前記ケーブル内で組み合わせることによって形成されたコネクタアセンブリをコネクタハウジングと組み合わせることとを含み、
前記封止アセンブリは、前記コネクタハウジングの第１の締結部分に弾性的に連結されてロックされるように構成され、前記端子部分とは別個に配置される、コネクタを製造する方法。
【請求項１３】
前記封止アセンブリは、
前記ケーブルが通過する主孔および前記ケーブルの長手方向に延びている連結棒を備えた主体部と、
前記ケーブルが通過するケーブル孔および前記連結棒が通過する本体孔を備えたシールと、
前記ケーブルが通過する副孔および前記連結棒の端部分が挿入される先端孔を備えた副体部とを備え、
前記封止アセンブリを組み立てることは、
前記主体部と前記シールおよび前記副体部を順番に組み合わせることと、
熱かしめにより前記連結棒の前記端部分を径方向に広げて変形させることによって前記連結棒を前記先端孔に固定することとを含む、請求項１２に記載の方法。
【発明の詳細な説明】
【技術分野】
【０００１】
関連出願の相互参照
本出願は、あらゆる目的で開示が参照により本明細書に組み込まれている、２０１８年９月２８日に韓国特許庁に出願された韓国特許出願第１０−２０１８−０１１６２３０号の優先権の利益を主張する。
【０００２】
１つまたは複数の例示的な実施形態は、電気的接続を形成または解放するように構成されたコネクタの構造、およびコネクタを製造する方法に関する。
【背景技術】
【０００３】
コネクタは、ケーブルのそれぞれの端部に接続されるオスコネクタおよびメスコネクタを含むことができ、オスコネクタとメスコネクタとの間の接続を介して２つのケーブル間に電気的接続を形成するように構成される。
【０００４】
水または湿気がコネクタに入り込むことを防止するための防水機能を提供すること、および接続されたケーブルをコネクタに堅固に安定して接続されたまま維持することが必要とされている。
【０００５】
通常、オスコネクタおよびメスコネクタは、接続部分がそれぞれ突起または凹部をなすという点で、互いに異なることができる。したがって以下、オスコネクタおよびメスコネクタを簡単に全体として「コネクタ」と呼ぶ。
【０００６】
上述した内容は、本開示の背景の理解を助けることのみを目的とし、本開示がすでに公開されている関連技術の範囲に入ることを認めていると理解されるべきではない。
【先行技術文献】
【特許文献】
【０００７】
【特許文献１】韓国特許出願公開公報第１０−２０１８−００９２８３２Ａ号
【発明の概要】
【発明が解決しようとする課題】
【０００８】
一態様は、所望のレベルの防水性能を有し、ケーブルの堅固で安定した接続を可能にするコネクタを提供する。このコネクタを使用することで、ケーブルをコネクタに組み立てるための作業工程の数を最小にし、それによって生産性を改善し、コストを低減させることが可能になる。
【課題を解決するための手段】
【０００９】
例示的な実施形態によれば、コネクタハウジングと、コネクタハウジングに挿入されて固定されるように構成されたケーブルアセンブリとを含んでいるコネクタが提供される。ケーブルアセンブリは、ケーブルと、ケーブルを外部端子に電気的に接続するように構成された端子部分と、ケーブルの外側シースに圧入されて水密封止され、コネクタハウジングの第１の締結部分に弾性的に連結されてロックされるように構成された封止アセンブリとを含むことができる。封止アセンブリは、端子部分とは別個に配置することができる。
【００１０】
封止アセンブリは、主孔を含む主体部であって、ケーブルが主体部の中心部分で主孔を通過し、第１の締結部分に弾性的に連結される第１の締結具が、主孔に対して第１の締結部分に面するように一体形成されている主体部と、副孔を含む副体部であって、ケーブルが副体部の中心部分で副孔を通過する、主体部に連結されるように構成された副体部と、主体部と副体部との間に介在し、ケーブルの外側シースに圧入されて水密封止されるように構成されたシールと、複数の連結棒であって、シールを通過して各連結棒の両端が主体部および副体部に固定され、主体部、シール、および副体部が一体形成されることを可能にするように構成された複数の連結棒とを含むことができる。
【００１１】
連結棒は、主体部と一体形成することができ、主孔の周りの領域から副体部の副孔の周りの領域に向かって互いに平行に突出している。副体部を通過する各連結棒の端部分は、熱かしめによって副体部に固定することができる。
【００１２】
端子部分は、ケーブルの内側導体に接続するように構成された中心コンタクトと、ケーブルの外側導体に接続するように構成された遮蔽コンタクトと、ケーブルの端部分に設けられ、中心コンタクトおよび遮蔽コンタクトを分離して中心コンタクトと遮蔽コンタクトとの間の絶縁を維持するように構成された遮蔽ハウジングとを含むことができ、遮蔽ハウジングは第２の締結具と一体形成され、第２の締結具は、ケーブルの外側シースに圧入されてロックされつつ、コネクタハウジングの第２の締結部分に弾性的に連結されるように構成されている。
【００１３】
遮蔽ハウジングの第２の締結具が第２の締結部分に連結され、封止アセンブリの第１の締結具が第１の締結部分に連結されているとき、遮蔽ハウジングの後端部分は、基準距離以下で副体部の前端部分に隣接して配置することができる。
【００１４】
端子部分は、ケーブルの内側導体に接続するように構成された中心コンタクトと、ケーブルの外側導体に接続するように構成された遮蔽コンタクトと、中心コンタクトおよび遮蔽コンタクトを分離して中心コンタクトと遮蔽コンタクトとの間の絶縁を維持するように構成された遮蔽ハウジングとを含むことができる。
【００１５】
封止アセンブリは、コネクタハウジング内に形成された第１の締結部分に連結されるように構成された第１の締結具を含むことができ、遮蔽ハウジングは、コネクタハウジング内に形成された第２の締結部分に連結されるように構成された第２の締結具を含むことができる。
【００１６】
封止アセンブリの端部分は、遮蔽ハウジングを支持することができる。
【００１７】
封止アセンブリは、ケーブルが通過する主孔およびケーブルの長手方向に沿って延びている連結棒を含む主体部と、ケーブルが通過するケーブル孔および連結棒が通過する本体孔を含むシールと、ケーブルが通過する副孔および連結棒の端部分が挿入される先端孔を含む副体部とを含むことができる。
【００１８】
連結棒は、主体部から延びて本体孔に挿入される棒本体と、棒本体から延びて先端孔に挿入される棒先端とを含むことができる。
【００１９】
棒本体の直径は、先端孔の直径より大きくすることができる。
【００２０】
別の例示的な実施形態によれば、コネクタを製造する方法が提供され、この方法は、封止アセンブリを組み立てることと、封止アセンブリを組み立てた後、組み立てられた封止アセンブリをケーブルに挿入することと、ケーブル内に端子部分を提供してケーブルを外部端子に電気的に接続することと、封止アセンブリおよび端子部分をケーブル内で組み合わせることによって形成されたコネクタアセンブリをコネクタハウジングと組み合わせることとを含む。封止アセンブリは、コネクタハウジングの第１の締結部分に弾性的に連結してロックすることができ、端子部分とは別個に配置することができる。
【００２１】
封止アセンブリは、ケーブルが通過する主孔およびケーブルの長手方向に延びている連結棒を含む主体部と、ケーブルが通過するケーブル孔および連結棒が通過する本体孔を含むシールと、ケーブルが通過する副孔および連結棒の端部分が挿入される先端孔を含む副体部とを含むことができる。封止アセンブリを組み立てることは、主体部とシールおよび副体部を順番に組み合わせることと、熱かしめにより連結棒の端部分を径方向に広げて変形させることによって連結棒を先端孔に固定することとを含むことができる。
【００２２】
例示的な実施形態の追加の態様について、一部は以下の説明に記載し、一部は以下の説明から明らかであり、または本開示の実施によって学習することができる。
【００２３】
本開示の上記その他の態様、特徴、および利点は、添付の図面に関連する例示的な実施形態の以下の説明から明らかであり、より容易に理解されよう。
【図面の簡単な説明】
【００２４】
【図１】例示的な実施形態によるコネクタの斜視図である。
【図２】図１の線ＩＩ−ＩＩで切り取ったコネクタの断面図である。
【図３】図２の封止アセンブリの分解斜視図である。
【図４】組み立てられている図３の封止アセンブリを示す図である。
【図５】熱でかしめられている図４の連結棒を示す図である。
【図６】図２のケーブルアセンブリがどのように形成されるかを示す図である。
【図７】図６の遮蔽コンタクトおよび遮蔽ハウジングの別の側の図である。
【図８】例示的な実施形態によるコネクタハウジングに圧入されて接続されたケーブルアセンブリの斜視図である。
【発明を実施するための形態】
【００２５】
以下の詳細な説明は、読み手が本明細書に記載する方法、装置、および／またはシステムについての包括的な理解を得ることを助けるために提供される。しかし、本出願の開示を理解すれば、本明細書に記載する方法、装置、および／またはシステムの様々な変更形態、修正形態、および均等物が明らかである。たとえば、本明細書に記載する動作の順序は単なる例であり、本明細書に述べる順序に限定されるものではなく、本出願の開示を理解すれば明らかなように、必ず特定の順序で行われる動作を除いて変更することができる。また、当技術分野で知られている特徴の説明は、さらなる明瞭性および簡潔性のために省略することがある。
【００２６】
本明細書に記載する特徴は、異なる形態で実施することができ、本明細書に記載する例に限定されると解釈されるべきではない。逆に、本明細書に記載する例は、本明細書に記載する方法、装置、および／またはシステムを実施する多くの可能な方法のうちのいくつかを示すことのみを目的として提供されており、本明細書に記載する方法、装置、および／またはシステムは、本出願の開示を理解すれば明らかである。
【００２７】
本明細書に使用される術語は、特定の実施形態を説明することのみを目的とし、限定することを意図したものではない。本明細書では、文脈上別途明白に指示しない限り、単数形の「ａ」、「ａｎ」、および「ｔｈｅ」は、複数形も同様に含むことを意図したものである。本明細書では、「備える、含む（ｃｏｍｐｒｉｓｅｓ）」、「備える、含む（ｃｏｍｐｒｉｓｉｎｇ）」、「含む（ｉｎｃｌｕｄｅｓ）」、および／または「含む（ｉｎｃｌｕｄｉｎｇ）」という用語は、記載の特徴、整数、動作、要素、および／または構成要素の存在を特定するが、１つまたは複数の他の特徴、整数、動作、要素、構成要素、および／またはそれらの群の存在または追加を除外しないことがさらに理解されよう。
【００２８】
本明細書では、構成要素について説明するために、第１、第２、Ａ、Ｂ、（ａ）、（ｂ）などの用語を使用することがある。これらの術語はそれぞれ、対応する構成要素の本質、順序、またはシーケンスを定義するために使用されるものではなく、対応する構成要素を他の構成要素から区別するためにのみ使用される。たとえば、第１の構成要素を第２の構成要素と呼ぶことができ、同様に第２の構成要素を第１の構成要素と呼ぶこともできる。
【００２９】
１つの構成要素が別の構成要素に「接続、連結（ｃｏｎｎｅｃｔｅｄ）」、「結合（ｃｏｕｐｌｅｄ）」、または「接合（ｊｏｉｎｅｄ）」されると本明細書に記載されている場合、第１の構成要素を第２の構成要素に直接接続、連結、結合、または接合することもできるが、第１の構成要素と第２の構成要素との間に第３の構成要素を「接続、連結」、「結合」、および「接合」することもできることに留意されたい。加えて、１つの構成要素が別の構成要素に「直接接続、連結」または「直接接合」されると本明細書に記載されている場合、これらの構成要素間に第３の構成要素が存在しないことに留意されたい。
同様に、たとえば「〜の間（ｂｅｔｗｅｅｎ）」および「〜のすぐ間（ｉｍｍｅｄｉａｔｅｌｙ  ｂｅｔｗｅｅｎ）」、ならびに「〜に隣接して（ａｄｊａｃｅｎｔ  ｔｏ）」および「〜にすぐ隣接して（ｉｍｍｅｄｉａｔｅｌｙ  ａｄｊａｃｅｎｔ  ｔｏ）」という表現もまた、上記で説明したように解釈することができる。
【００３０】
別途定義しない限り、本明細書で使用される技術的および科学的な用語を含むすべての用語は、本開示の理解に基づいて本開示が関連する当業者によって一般に理解されるものと同じ意味を有する。一般に使用される辞書で定義されているような用語は、関連技術および本開示の文脈における意味と一貫した意味を有すると解釈されるべきであり、本明細書に明示的にそのように定義しない限り、理想化されまたは過度に形式的な意味で解釈されるべきではない。
【００３１】
以下、いくつかの例示的な実施形態について、添付の図面を参照して詳細に説明する。図面で要素に割り当てられた参照番号に関しては、異なる図面に示されている場合でも、可能な限り同じ要素が同じ参照番号で呼ばれていることに留意されたい。
【００３２】
図１〜図８を参照すると、コネクタは、コネクタハウジング１と、コネクタハウジング１に挿入されて固定されるケーブルアセンブリ３とを含む。
【００３３】
コネクタは、ケーブルアセンブリ３が図８に示す位置からコネクタハウジング１に圧入されると、ケーブルアセンブリ３がコネクタハウジング１に安定して固定されて、ロックされると同時に水密封止される構造で提供される。
【００３４】
したがって、組立ての作業性を改善することができ、作業工程の数を減少させることができ、それによって生産性を改善し、生産コストを低減させることができる。
【００３５】
ケーブルアセンブリ３は、ケーブル５と、ケーブル５を外部端子に電気的に接続するように構成された端子部分９と、ケーブル５の外側シースに圧入されて水密封止され、コネクタハウジング１の第１の締結部分１７に弾性的に連結されてロックされるように構成された封止アセンブリ７とを含む。
【００３６】
端子部分９は、詳細には後述する中心コンタクト９ａ、遮蔽コンタクト１１、および遮蔽ハウジング１３を含む。端子部分９は、ケーブル５に固定して提供される。
【００３７】
封止アセンブリ７は、端子部分９とは別個に配置される。封止アセンブリ７は、ケーブル５に沿って摺動するように構成され、ケーブル５の外側シース内に水密封止される。すなわち、封止アセンブリ７は、端子部分９に対して動くように構成される。
封止アセンブリ７は、中心部分に主孔１５を含む主体部２１であって、ケーブル５が主孔１５を通過し、第１の締結部分１７に弾性的に連結される第１の締結具１９が主孔１５に対して第１の締結部分１７に面するように一体形成されている主体部２１と、中心部分に副孔２３を含む副体部２５であって、ケーブル５が副孔２３を通過し、主体部２１に連結されるように構成された副体部２５と、主体部２１と副体部２５との間に介在し、ケーブル５の外側シースに圧入されて水密封止されるように構成されたシール２７と、複数の連結棒２９であって、連結棒２９の両端がシール２７を通過して主体部２１および副体部２５に固定され、主体部２１、シール２７、および副体部２５が一体形成される複数の連結棒２９とを含む。
【００３８】
たとえば、主体部２１および副体部２５の剛性は、シール２７の剛性より大きい。シール２７は、可撓性および弾性の材料、たとえばシリコンおよびゴムによって形成することができる。主体部２１および副体部２５は、より剛性の材料、たとえばプラスチックおよび金属によって形成することができる。主孔１５および副孔２３のそれぞれの直径は、ケーブル５の直径より大きくなるように形成され、したがって主孔１５および副孔２３はケーブル５に直接接触しない。たとえば、水密封止構造を形成するために、ケーブル５が通過するシール２７内に形成されたケーブル孔２７ｂの直径はケーブル５の直径より小さい。
【００３９】
例示的な実施形態によれば、連結棒２９は、主体部２１と一体形成され、主孔１５の周りの領域から副体部２５の副孔２３の周りの領域に向かって互いに平行に突出し、副体部２５を通過する連結棒２９の端部分は、熱かしめによって副体部２５に固定される。
【００４０】
たとえば、図３および図４に示すように、シール２７は、ケーブル５の長手方向に沿ってシール２７を通過する本体孔２７ａを含み、副体部２５は、ケーブル５の長手方向に沿って副体部２５を通過する先端孔２５ａを含む。各連結棒２９は、主体部２１から延びて本体孔２７ａに挿入される棒本体２９ａと、棒本体２９ａから延びて先端孔２５ａに挿入される棒先端２９ｂとを含む。この例では、副体部２５を通過する棒先端２９ｂの少なくとも一部分が、熱かしめにより径方向に広げられて変形し、先端孔２５ａに固定されている。
【００４１】
すなわち、主体部２１、シール２７、および副体部２５が、図３に示す位置から図４に示す位置へ組み立てられるとき、副体部２５側の連結棒２９の端部分が、熱かしめにより図５に示すように変形し、したがって主体部２１、シール２７、および副体部２５が組み立てられた状態が恒久的に維持される。
【００４２】
連結棒２９は、主体部２１と一体形成されるのではなく、たとえば主体部２１側の熱かしめ、熱融合、およびねじ連結を含む様々な方法によって、主体部２１に連結することもできる。
【００４３】
加えて、中心コンタクト９ａはケーブル５の内側導体に接続され、遮蔽コンタクト１１はケーブル５の外側導体に接続される。ケーブル５の端部分は、中心コンタクト９ａおよび遮蔽コンタクト１１を分離して中心コンタクト９ａと遮蔽コンタクト１１との間の絶縁を維持するように構成された遮蔽ハウジング１３を備えており、遮蔽ハウジング１３は第２の締結具３３と一体形成され、第２の締結具３３は、ケーブル５の外側シースに圧入されてロック状態を形成しつつ、コネクタハウジング１の第２の締結部分３１に弾性的に連結される。
【００４４】
すなわち、中心コンタクト９ａおよび遮蔽コンタクト１１は、反対側のコネクタに実質上接続されて、導電状態を形成する。遮蔽ハウジング１３は、中心コンタクト９ａと遮蔽コンタクト１１との間に絶縁を形成し、同時に第２の締結具３３を使用して、コネクタハウジング１に固定されたケーブル５が解放されるのを防止するように構成される。
【００４５】
図２を参照すると、遮蔽ハウジング１３の第２の締結具３３が第２の締結部分３１に連結され、封止アセンブリ７の第１の締結具１９が第１の締結部分１７に連結されているとき、遮蔽ハウジング１３の後端部分は、前端部分に接触するように、事前設定された基準距離以下で副体部２５の前端部分のすぐ近傍に配置される。
【００４６】
基準距離は、約０．１ミリメートル（ｍｍ）〜０．３ｍｍとすることができる。ケーブル５が後方へ引っ張られてコネクタハウジング１から解放されたとき、遮蔽ハウジング１３の後端部分は副体部２５の前端部分に接触し、第２の締結具３３、さらに第１の締結具１９は、ケーブル５を後方へ引っ張る力を分散させて支持することができる。
【００４７】
主体部２１と副体部２５との間の相対的な動きが連結棒２９によって制限され、連結棒２９は、副体部２５に印加される力を主体部２１に直接伝達するため、第１の締結具１９は、ケーブル５が後方へ引っ張られるとき、副体部２５に印加される力を分散させて支持することができる。
【００４８】
加えて、図２に示すように、副体部２５が遮蔽ハウジング１３の端部分に接触するようにコネクタハウジング１に固定されているため、副体部２５は、力を分散させて支持するのを助けることができる。ケーブル５が後方へ引っ張られたとき、副体部２５は、遮蔽ハウジング１３が後方へ動くのを防止し、第２の締結具３３が損傷されるのを防止することができる。既存の防水構造では、ケーブルが後方へ引っ張られたとき、遮蔽ハウジングは、弾性シールが圧縮された距離だけ動くことがあり、したがって第２の締結具が損傷されて、外部振動による中心コンタクトの不十分な接触を招く可能性がある。
しかし、例示的な実施形態によれば、剛性材料によって形成された副体部２５および副体部２５との単一の強固な動きを実行するように副体部２５に連結された主体部２１を、第１の締結具１９によってコネクタハウジング１から支持することができ、副体部２５は、遮蔽ハウジング１３の後面を直接支持することができる。既存の防水構造とは異なり、ケーブル５が後方へ引っ張られるとシール２７が圧縮されるのではなく、遮蔽ハウジング１３内に形成された第１の締結具１９および封止アセンブリ７内に形成された第２の締結具３３はともに、ケーブル５を後方へ引っ張る力を分散させて支持することができる。したがって、例示的な実施形態によれば、既存の防水構造で起こりうる構成要素の損傷および不十分な接触を防止することが可能である。
たとえば、棒本体２９ａの直径は、先端孔２５ａの直径より大きい。そのような構造によって、棒本体２９ａの端部分は、図４および図５に示すように、先端孔２５ａの縁部を支持しており、したがってケーブル５が後方へ引っ張られたとき、副体部２５に印加される力は、連結棒２９を通って主体部２１に直接伝達される。したがって、第２の締結具３３に加えて第１の締結具１９もまた、ケーブル５を後方へ引っ張る力を分散させて支持することができる。
【００４９】
上述したように、ケーブル５は、コネクタハウジングによる後方への引っ張る力によってコネクタハウジング１から容易に解放することができず、したがってケーブル５は、コネクタハウジング１に堅固に安定して接続されたまま維持することができる。
【００５０】
加えて、上述した状況では、シール２７は、連結棒２９によって変形させることができず、したがって水密性を安定して維持し、シール２７の耐久性を改善することが可能である。
【００５１】
以下、例示的な実施形態によるコネクタを製造する方法について、図３〜図８を参照して説明する。
【００５２】
コネクタを製造する方法は、封止アセンブリ７を組み立てる動作Ａ（図３〜図５参照）と、封止アセンブリ７をケーブル５に挿入する動作Ｂ（図６の第２の図面参照）と、中心コンタクト９ａをケーブル５の内側導体に接続する動作Ｃ（図６の第３および第４の図面参照）と、遮蔽コンタクト１１をケーブル５の外側導体に接続し、ケーブル５の外側シース内に遮蔽ハウジング１３を提供し、中心コンタクト９ａと遮蔽コンタクト１１との間に絶縁を形成する動作Ｄ（図６の第５の図面）と、コネクタアセンブリ３をコネクタハウジング１に接続する動作Ｅ（図８参照）とを含む。別途記載しない限り、動作Ａ〜Ｅが実行される順序は、上述した内容に限定されるものではない。
【００５３】
動作Ａは、主体部２１の連結棒２９にシール２７および副体部２５を順次連結することによって実行される。たとえば、動作Ａは、動作Ｂの前に実行することができる。そのような構造によって、ケーブル５とコネクタハウジング１との間の防水のためにケーブル５の外面にシール２７を直接設置する必要がなくなる。したがって、締付けによってシール２７をケーブル５に固定する工程と比較すると、ケーブル５に印加される外部の力を低減させ、したがってケーブル５の変形による信号損失を防止することが可能である。
【００５４】
動作ＣおよびＤは、ケーブル５の端部に同軸ケーブル接続構造を形成するための一連の動作として解釈される。たとえば、動作Ｂは、動作ＣおよびＤの前に実行することができる。動作Ｂならびに動作ＣおよびＤが実行されるとき、コネクタアセンブリ３を形成することができる。すなわち、コネクタアセンブリ３は、封止アセンブリ７、中心コンタクト９ａ、遮蔽コンタクト１１、および遮蔽ハウジング１３をケーブル５に接続することによって形成されると解釈することができる。加えて、封止アセンブリ７の主体部２１は、副体部２５より中心コンタクト９ａから遠くに位置することができる。主体部２１は、主孔１５以外にケーブル５の長手方向に沿って貫通する孔を含まない。
【００５５】
動作Ｅで、コネクタアセンブリ３内に提供された２つの締結具１９および３３が、コネクタハウジング１内に提供された２つの締結部分１７および３１に締結される。詳細には、封止アセンブリ７の主体部２１内に形成された第１の締結具１９が、コネクタハウジング１の第１の締結部分１７に締結され、遮蔽ハウジング１３内に形成された第２の締結具３３が、コネクタハウジング１の第２の締結部分３１に締結される。加えて、封止アセンブリ７の端部分に位置する副体部２５は、遮蔽ハウジング１３を支持する。相互の力の活動化を可能にするこの２重の締結またはロック構造によって、ケーブル５を後方へ引っ張る力を分散させて支持することが可能である。
【００５６】
本明細書に記載する例示的な実施形態によれば、ケーブルをコネクタに組み立てるための作業工程の数を最小にし、したがって生産性を改善し、コストを低減させることが可能である。加えて、望ましいレベルの防水性能およびケーブルの堅固で安定した接続を実現することが可能である。
【００５７】
複数の例示的な実施形態について、上記で説明した。それにもかかわらず、これらの例示的な実施形態に様々な修正を加えることができることを理解されたい。たとえば、記載の技法が異なる順序で実行された場合、ならびに／または記載のシステム、アーキテクチャ、デバイス、もしくは回路内の構成要素が異なる形態で組み合わされた場合、および／もしくは他の構成要素もしくは均等物によって置換もしくは補足された場合も、好適な結果を実現することができる。したがって、他の実装形態も以下の特許請求の範囲の範囲内である。
【図１】
2020057603.tif 000003
【図２】
2020057603.tif 000004
【図３】
2020057603.tif 000005
【図４】
2020057603.tif 000006
【図５】
2020057603.tif 000007
【図６】
2020057603.tif 000008
【図７】
2020057603.tif 000009
【図８】
2020057603.tif 000010
【外国語明細書】
2020057603000001.pdf